(57)【要約】【課題】残像現象を効果的に防ぐこと。【解決手段】実施形態に係る映像処理装置は、フレーム反転方式により液晶駆動される液晶表示部への表示映像信号を生成する映像処理装置であって、制御部と、生成部とを備える。制御部は、外部から入力されるインターレース映像信号に含まれる垂直同期信号に基づき、インターレース映像信号に対し所定の周期で所定数のフィールド分の表示無効区間が設定されるようにデータイネーブル信号を制御する。生成部は、データイネーブル信号に基づいてインターレース映像信号に対し表示無効区間を設定した表示映像信号を生成し、表示映像信号を液晶表示部へ出力する。【選択図】図２Ａ
2018036367.tif 000002
【特許請求の範囲】
【請求項１】
フレーム反転方式により液晶駆動される液晶表示部への表示映像信号を生成する映像処理装置であって、
外部から入力されるインターレース映像信号に含まれる垂直同期信号に基づき、前記インターレース映像信号に対し所定の周期で所定数のフィールド分の表示無効区間が設定されるようにデータイネーブル信号を制御する制御部と、
前記データイネーブル信号に基づいて前記インターレース映像信号に対し前記表示無効区間を設定した前記表示映像信号を生成し、該表示映像信号を前記液晶表示部へ出力する映像信号処理部と
を備えることを特徴とする映像処理装置。
【請求項２】
前記液晶表示部の温度を検知する温度検知部
をさらに備え、
前記制御部は、
前記温度検知部の検知結果に基づいて前記周期を調整すること
を特徴とする請求項１に記載の映像処理装置。
【請求項３】
前記制御部は、
前記温度が高温であるほど前記周期が短くなるように該周期を調整すること
を特徴とする請求項２に記載の映像処理装置。
【請求項４】
前記制御部は、
外部から入力されるノンインターレース映像信号に対し前記表示無効区間が設定されないように前記データイネーブル信号を制御すること
を特徴とする請求項１、２または３に記載の映像処理装置。
【請求項５】
前記映像信号処理部は、
前記インターレース映像信号におけるフィールド間でそれぞれ対応するラインごとの映像信号差を算出し、
前記制御部は、
前記映像信号処理部によって算出された前記映像信号差が所定の閾値を超える場合に、前記表示無効区間が設定されるように前記データイネーブル信号を制御すること
を特徴とする請求項１〜４のいずれか一つに記載の映像処理装置。
【請求項６】
前記制御部は、
前記映像信号処理部によって算出された前記映像信号差が所定の閾値より大きくなるほど前記周期が短くなるように該周期を調整すること
を特徴とする請求項５に記載の映像処理装置。
【請求項７】
前記所定数のフィールド分は、１フィールド分であること
を特徴とする請求項１〜６のいずれか一つに記載の映像処理装置。
【請求項８】
フレーム反転方式により液晶駆動される液晶表示部と、
前記液晶表示部への表示映像信号を生成する映像処理装置と
を備え、
前記映像処理装置は、
外部から入力されるインターレース映像信号に含まれる垂直同期信号に基づき、前記インターレース映像信号に対し所定の周期で所定数のフィールド分の表示無効区間が設定されるようにデータイネーブル信号を制御する制御部と、
前記データイネーブル信号に基づいて前記インターレース映像信号に対し前記表示無効区間を設定した前記表示映像信号を生成し、該表示映像信号を前記液晶表示部へ出力する映像信号処理部と
を備えることを特徴とする映像表示システム。
【請求項９】
フレーム反転方式により液晶駆動される液晶表示部への表示映像信号を生成する映像処理方法であって、
外部から入力されるインターレース映像信号に含まれる垂直同期信号に基づき、前記インターレース映像信号に対し所定の周期で所定数のフィールド分の表示無効区間が設定されるようにデータイネーブル信号を制御する制御工程と、
前記データイネーブル信号に基づいて前記インターレース映像信号に対し前記表示無効区間を設定した前記表示映像信号を生成し、該表示映像信号を前記液晶表示部へ出力する映像信号処理工程と
を含むことを特徴とする映像処理方法。
【発明の詳細な説明】
【技術分野】
【０００１】
開示の実施形態は、映像処理装置、映像表示システムおよび映像処理方法に関する。
【背景技術】
【０００２】
従来、ＩＰＳ（In  Plane  Switching）方式が採用された液晶ディスプレイ（以下、「ＩＰＳ液晶」と言う）が知られている。かかるＩＰＳ液晶は、視野角特性に優れることから、ワイド画面や大画面、携帯端末画面、車載機器用画面など、様々な場面での表示デバイスとして用いられている（たとえば、特許文献１参照）。
【先行技術文献】
【特許文献】
【０００３】
【特許文献１】特開２００９−０３７２０９号公報
【発明の概要】
【発明が解決しようとする課題】
【０００４】
しかしながら、上述した従来技術には、残像現象を効果的に防ぐという点で、さらなる改善の余地がある。
【０００５】
具体的には、ＩＰＳ液晶は残像特性が弱く、とりわけインターレース映像表示時に特定画像で残像が発生しやすいと言う問題点がある。たとえば、残像現象は、特定画像の映像信号により液晶層中の不純物が電荷溜まりを起こすことによって生じるが、かかる電荷溜まりは、ノンインターレース映像の場合、一般的なアクティブ・マトリクス駆動方式の液晶表示において実施されるフレームごとのＴＦＴ（Thin  Film  Transistor）電極の極性反転により解消しうる。
【０００６】
ところが、インターレース映像の場合、１フレームは奇数フィールドおよび偶数フィールドの２フィールドで構成されるため、特定画像の映像信号はかかるフィールド間では異なるものとなり、前述の極性反転によっては電荷溜まりを解消することができない。特にフィールド方向に境界が延びる白色ベタ画像と黒色ベタ画像の場合は、その境界で奇数フィールドと偶数フィールドで正反対の極性となるライン（例えば、奇数フィールドで黒色、偶数フィールドで白色）が発生する場合があり、この場合は極性反転により電荷が溜まりやすくなると言ったことが起こる。
【０００７】
実施形態の一態様は、上記に鑑みてなされたものであって、残像現象を効果的に防ぐことができる映像処理装置、映像表示システムおよび映像処理方法を提供することを目的とする。
【課題を解決するための手段】
【０００８】
実施形態の一態様に係る映像処理装置は、フレーム反転方式により液晶駆動される液晶表示部への表示映像信号を生成する映像処理装置であって、制御部と、生成部とを備える。前記制御部は、外部から入力されるインターレース映像信号に含まれる垂直同期信号に基づき、前記インターレース映像信号に対し所定の周期で所定数のフィールド分の表示無効区間が設定されるようにデータイネーブル信号を制御する。前記生成部は、前記データイネーブル信号に基づいて前記インターレース映像信号に対し前記表示無効区間を設定した前記表示映像信号を生成し、該表示映像信号を前記液晶表示部へ出力する。
【発明の効果】
【０００９】
実施形態の一態様によれば、残像現象を効果的に防ぐことができる。
【図面の簡単な説明】
【００１０】
【図１Ａ】図１Ａは、実施形態に係る映像処理方法の概要説明図（その１）である。
【図１Ｂ】図１Ｂは、実施形態に係る映像処理方法の概要説明図（その２）である。
【図１Ｃ】図１Ｃは、実施形態に係る映像処理方法の概要説明図（その３）である。
【図１Ｄ】図１Ｄは、実施形態に係る映像処理方法の概要説明図（その４）である。
【図１Ｅ】図１Ｅは、実施形態に係る映像処理方法の概要説明図（その５）である。
【図１Ｆ】図１Ｆは、実施形態に係る映像処理方法の概要説明図（その６）である。
【図２Ａ】図２Ａは、第１の実施形態に係る映像表示システムのブロック図である。
【図２Ｂ】図２Ｂは、第１の実施形態に係る映像信号処理部のブロック図である。
【図３】図３は、ＩＰ変換処理の処理説明図である。
【図４】図４は、映像スキップ処理の処理説明図である。
【図５】図５は、第１の実施形態に係る映像処理装置の制御部が実行する処理手順を示すフローチャートである。
【図６】図６は、第２の実施形態に係る映像表示システムのブロック図である。
【図７Ａ】図７Ａは、第３の実施形態に係る周期調整処理の処理説明図である。
【図７Ｂ】図７Ｂは、第３の実施形態に係る周期調整処理の変形例を示す図である。
【発明を実施するための形態】
【００１１】
以下、添付図面を参照して、本願の開示する映像処理装置、映像表示システムおよび映像処理方法の実施形態を詳細に説明する。なお、以下に示す実施形態によりこの発明が限定されるものではない。
【００１２】
また、以下では、液晶モジュールである「液晶表示部」が、ＩＰＳ液晶であり、かつ、車載機器用として用いられる場合を例に挙げて説明を行う。また、以下では、液晶駆動ドライバＩＣに対する表示有効指示信号である「データイネーブル信号」を「ＤＥ信号」と記載する場合がある。
【００１３】
また、以下では、本実施形態に係る映像処理方法の概要について図１Ａ〜図１Ｆを用いて説明した後に、実施形態に係る映像処理方法を適用した映像表示システム１の映像処理装置１０について、図２Ａ〜図７Ｂを用いて説明する。
【００１４】
まず、本実施形態に係る映像処理方法の概要について図１Ａ〜図１Ｆを用いて説明する。図１Ａ〜図１Ｆは、実施形態に係る映像処理方法の概要説明図（その１）〜（その６）である。
【００１５】
図１Ａに示すように、本実施形態に係る映像表示システム１は、たとえば車両Ｃに搭載して用いることができる。映像表示システム１は、映像処理装置１０と、液晶表示部２０とを備える。液晶表示部２０は、たとえば第１表示部２０ａと、第２表示部２０ｂとを含む。
【００１６】
第１表示部２０ａは、フロントシート前方などに設けられるたとえばディスプレイオーディオ（以下、「ＤＡ」と言う）用であり、第２表示部２０ｂは、フロントシート背面などに設けられるたとえばリアシートエンターテインメントシステム（以下、「ＲＳＥ」と言う）用である。第１表示部２０ａは、たとえば図示略の車載カメラからのモニタ映像を表示することができる。第２表示部２０ｂは、たとえばＤＶＤプレーヤの映像やゲーム映像などを表示することができる。
【００１７】
映像処理装置１０は、各種映像ソースから映像信号を入力し、かかる映像信号から液晶表示部２０へ表示可能となる映像処理を施して液晶表示部２０へ出力する。
【００１８】
ところで、一般的なアクティブ・マトリクス駆動方式の液晶表示では、直流駆動すると寿命が短くなるため、交流電圧を印加することでサブ画素となる各電極の極性を１枚の画像（フレーム）ごとに反転させるフレーム反転方式による液晶駆動が行われている。
【００１９】
たとえば図１Ｂには、フレーム反転方式のうちのドット反転駆動方式を例に挙げている。ドット反転駆動方式では、図１Ｂに示すように、たとえば１／６０秒間隔（すなわち、６０Ｈｚ）で１番目、２番目、３番目…の各フレームごとに１つおきのサブ画素を互い違いに正極と負極を反転させる。
【００２０】
これにより、たとえば図１Ｃに示すように、ノンインターレース映像の場合、あるサブ画素に対しフレーム間で同じ映像信号（たとえば白１〜１２）が入力されても、フレームごとに反転する極性の影響でイオン性不純物を液晶層中に偏ることなく存在させることができる。すなわち、フレーム反転方式には、液晶層中のイオン性不純物の電荷溜まりを解消し、残像現象を防止する作用がある。
【００２１】
なお、図１Ｃに示すように、フレーム間は垂直同期信号による垂直同期期間によって区切られている。垂直同期期間は通常、ＤＥ信号がオフ／オン制御され、表示映像に対し垂直同期期間に対応する表示無効区間が設定される。
【００２２】
しかし、ここでインターレース映像の場合を考えてみる。１フレームは５２５行分であるものとする。図１Ｄに示すように、インターレース映像の場合、１フレームは、奇数行番目の走査線のみからなる奇数フィールドと、偶数行番目の走査線のみからなる偶数フィールドの２フィールドで構成される。かかる２フィールドは交互に表示されることとなるため、フレーム単位で見れば同じ特定画像の映像信号であっても、フィールド間では異なるものとなりやすい。
【００２３】
説明を分かりやすくするために、フィールドごとに白、黒が入れ替わる場合を例に挙げる。図１Ｅに示すように、従来の方式でかかるインターレース映像を表示した場合、フィールドごとに入れ替わる白、黒の電位の振れ幅が小さいため、イオン性不純物が同じ方向に偏在しやすくなり、「電荷溜まりによる残像発生」を起こしやすい。ＩＰＳ液晶の場合、コモン電極とサブ画素の各電極との位置関係から、イオン性不純物が移動しにくいこともあり、特にこの傾向が強い。
【００２４】
なお、ここで、電極の極性を直接制御することにより、電荷溜まりを解消することが考えられるが、現状、液晶表示部２０は、液晶パネルおよび液晶駆動ドライバＩＣが一体となった液晶モジュールが主流であるため、実現性が低いと考えられる。
【００２５】
そこで、図１Ｆに示すように、本実施形態では、映像処理装置１０が、インターレース映像の場合に「所定の周期で１フィールド分の映像をスキップ」することによって、電極の極性を反転させることとした（図中の破線の閉曲線Ｍ１に囲まれた部分参照）。
【００２６】
具体的には、映像処理装置１０は、外部から入力されるインターレース映像信号に含まれる垂直同期信号に基づき、インターレース映像信号に対し所定の周期で１フィールド分の表示無効区間が設定されるようにＤＥ信号を制御することによって映像をスキップさせる。
【００２７】
たとえば、図１Ｆに示す例では、映像信号中の「黒３」を、表示映像では「黒３」として表示させない表示無効期間を表示映像信号に設定する。これにより、前フィールドの「白３」が継続して表示され、「黒３」に対応すべき極性は「＋」に反転するとともに、つづく「白４」の電位は負極に転じるため、イオン性不純物の「電荷溜まりを解消」することができる。したがって、残像現象を効果的に防ぐことができる。
【００２８】
このように、本実施形態に係る映像処理方法では、外部から入力されるインターレース映像信号に含まれる垂直同期信号に基づき、インターレース映像信号に対し所定の周期で１フィールド分の表示無効区間が設定されるようにＤＥ信号を制御することとした。そして、本実施形態に係る映像処理方法では、かかるＤＥ信号に基づいてインターレース映像信号に対し表示無効区間を設定した表示映像信号を生成し、かかる表示映像信号を液晶表示部２０へ出力することとした。
【００２９】
したがって、本実施形態に係る映像処理方法によれば、インターレース映像であっても、イオン性不純物の電荷溜まりを解消し、残像現象を効果的に防ぐことができる。
【００３０】
以下、上述した映像処理方法を適用した映像表示システム１の映像処理装置１０について、さらに具体的に説明する。なお、以下では、第１の実施形態について図２Ａ〜図５を用いつつ、第２の実施形態について図６を用いつつ、第３の実施形態について図７Ａおよび図７Ｂを用いつつ、順次説明する。
【００３１】
（第１の実施形態）
図２Ａは、第１の実施形態に係る映像表示システム１のブロック図である。図２Ｂは、第１の実施形態に係る映像信号処理部１２のブロック図である。
【００３２】
なお、図２Ａおよび図２Ｂでは、本実施形態の特徴を説明するために必要な構成要素のみを機能ブロックで表しており、一般的な構成要素についての記載を省略している。
【００３３】
換言すれば、図２Ａおよび図２Ｂに図示される各構成要素は機能概念的なものであり、必ずしも物理的に図示の如く構成されていることを要しない。例えば、各機能ブロックの分散・統合の具体的形態は図示のものに限られず、その全部または一部を、各種の負荷や使用状況などに応じて、任意の単位で機能的または物理的に分散・統合して構成することが可能である。なお、図２Ａおよび図２Ｂ以外に後ほど示すブロック図（図６）でも、この点は同様である。
【００３４】
まず、図２Ａに示すように、映像表示システム１は、映像処理装置１０と、液晶表示部２０と、映像ソース３０とを備える。液晶表示部２０は既に述べた通り、液晶モジュールに相当し、液晶駆動ドライバＩＣに相当する液晶駆動部２１と、液晶パネル２２とを備える。映像ソース３０は、各種映像源に相当し、たとえば車載カメラやＤＶＤプレーヤなどである。
【００３５】
映像処理装置１０は、制御部１１と、映像信号処理部１２と、記憶部１３とを備える。記憶部１３は、ハードディスクドライブや不揮発性メモリ、レジスタといった記憶デバイスであって、周期情報１３ａを記憶する。
【００３６】
周期情報１３ａは、映像をスキップさせる所定の周期に関する情報であり、少なくとも残像現象が生じないと想定されるたとえば待ち時間などが予め規定され、登録されている。
【００３７】
制御部１１は、映像信号処理部１２による映像信号処理を制御する。制御部１１は、たとえば制御用マイコンなどで構成することができる。
【００３８】
具体的に、制御部１１は、映像信号処理部１２が映像ソース３０から取得した映像信号に含まれる垂直同期信号を随時モニタリングする。また、制御部１１は、周期情報１３ａに基づき、所定の周期を随時計測する。計測の方法は、たとえばタイマ制御によるものであってもよいし、たとえば処理したフレーム数やフィールド数に基づくものであってもよい。
【００３９】
また、制御部１１は、所定の周期が到来した場合に、かかる周期到来から最初に現れる第１の垂直同期期間と、かかる第１の垂直同期期間の次に現れる第２の垂直同期期間とに基づき、インターレース映像信号の１フィールド分に表示無効区間が設定されるようにＤＥ信号をオフ／オン制御する。
【００４０】
なお、ＤＥ信号のオフ制御は、映像信号処理部１２へＤＥ信号をオフにするよう通知する。一方、ＤＥ信号のオン制御は、映像信号処理部１２へＤＥ信号をオンにするよう通知する。
【００４１】
映像信号処理部１２は、映像ソース３０からの映像信号および制御部１１による制御に基づき、表示映像信号を生成し、生成した表示映像信号を液晶表示部２０へ出力する。
【００４２】
具体的に、図２Ｂに示すように、映像信号処理部１２は、ＡＤ変換部１２ａと、ＩＰ変換部１２ｂと、設定部１２ｃとを備える。ＡＤ変換部１２ａは、入力された映像信号のアナログ−デジタル変換処理を行う。
【００４３】
ＩＰ変換部１２ｂは、ＡＤ変換部１２ａによってデジタル化された映像信号がインターレース映像信号である場合に、かかるインターレース映像信号をノンインターレース、すなわちプログレッシブ映像信号相当に変換するＩＰ変換処理を行う。
【００４４】
ここで、ＩＰ変換部１２ｂによるＩＰ変換処理について図３を用いて説明しておく。図３は、ＩＰ変換処理の処理説明図である。なお、図３では、インターレース映像信号における奇数フィールドを例に挙げるが、偶数フィールドについても同様である。
【００４５】
上でも述べたが、図３の上段に示すように、奇数フィールドは、奇数行番目の走査線のみからなるが、たとえば１フレームが５２５行分であるとした場合、奇数フィールドの行数は２６３行となる。
【００４６】
一方、たとえば液晶パネル２２の表示領域が、図３の中段に示すように４８０行だったとした場合、かかる４８０行の半分の２４０行分へ収まるように、奇数フィールドの２６３行の一部（たとえば上部および下部など）を間引く必要がある。ＩＰ変換部１２ｂは、かかる処理を行う。
【００４７】
また、図３の中段に示すように、奇数フィールドの２４０行分だけでは無論、偶数フィールド分に相当する領域に空きができてしまう。そこで、図３の下段に示すように、ＩＰ変換部１２ｂは、たとえば奇数フィールドの２４０行分に基づいてかかる空き領域を補完する処理を行う。かかる補完は、たとえば奇数フィールド分の各行を拡大などすることによって行うことができる。
【００４８】
なお、奇数フィールド分および偶数フィールド分をフレームメモリ上に蓄積し、合成することによってＩＰ変換を行うことはできるが、本実施形態ではかかる手法はあえて用いていない。
【００４９】
図２Ｂの説明に戻り、つづいて設定部１２ｃについて説明する。設定部１２ｃは、ＩＰ変換部１２ｂからの映像信号および制御部１１からの制御に基づき、液晶表示部２０への表示映像信号を生成して液晶表示部２０へ出力する処理を行う。
【００５０】
たとえば設定部１２ｃは、制御部１１からＤＥ信号のオフ制御の通知およびオン制御の通知を受け付けた場合に、オフ制御の通知を受け付けてからオン制御の通知を受け付けるまでの間、映像信号に対し表示無効区間を設定する。これは、映像信号がインターレース／ノンインターレースかを問わない。
【００５１】
ここで、映像信号がインターレース映像信号である場合の映像スキップ処理について、さらに具体的に図４を用いて説明する。図４は、映像スキップ処理の処理説明図である。
【００５２】
図４に示すように、制御部１１は、常に垂直同期信号をモニタリングしている（ステップＳ１）。また、制御部１１は、あわせて所定の周期計測を行っている。
【００５３】
そのうえで、制御部１１は、所定の周期が到来するまでの間は、垂直同期期間に対し、たとえばこれに対応する期間Ｔ０において通常のＤＥ信号のオフ／オン制御を行う。設定部１２ｃは、かかるオフ／オン制御に応じて通常の表示無効区間を設定することとなる。
【００５４】
ここで、時間Ｔ１において所定の周期が到来したものとする（ステップＳ２）。制御部１１は、かかる周期到来から最初に現れる垂直同期期間を第１の垂直同期期間とし、かかる第１の垂直同期期間内にＤＥ信号をオフ制御する（ステップＳ３）。設定部１２ｃは、かかるオフ制御の通知を受け付けてからインターレース映像信号に対し継続的に表示無効区間を設定する。
【００５５】
そして、制御部１１は、第１の垂直同期期間の次の垂直同期期間を第２の垂直同期期間とし、かかる第２の垂直同期期間内にＤＥ信号をオン制御する（ステップＳ４）。設定部１２ｃは、かかるオン制御の通知を受け付けることによって、インターレース映像信号に対し行っていた表示無効区間の設定を解除する。
【００５６】
また、制御部１１は、ステップＳ４の実施後に、所定の周期計測をリスタートする（ステップＳ５）。ここに言うリスタートは、初期値からのリスタートである。これにより、所定の周期１回分における映像スキップ処理が完了する。かかる映像スキップ処理は、周期が到来するたびに繰り返されることとなる。
【００５７】
なお、映像信号がノンインターレース映像信号である場合、図４では期間Ｔ０を用いて示した通常のＤＥ信号のオフ／オン制御が行われる。すなわち、もともと残像現象の生じにくいノンインターレース映像信号の場合には、無用な映像スキップ処理を避けることによって、システム負荷を低減しつつ、品質を保った映像表示を行うことができる。
【００５８】
次に、第１の実施形態に係る映像処理装置１０の制御部１１が実行する処理手順について、図５を用いて説明する。図５は、第１の実施形態に係る映像処理装置１０の制御部１１が実行する処理手順を示すフローチャートである。なお、図５に示す処理手順は、ループ構造を有しているが、これは制御部１１が映像信号に含まれる垂直同期信号を常にモニタリングしていることを表すものである。
【００５９】
まず、制御部１１は、モニタした垂直同期信号がインターレース映像信号のものであるか否かを判定する（ステップＳ１０１）。ここで、インターレース映像信号のものでない場合（ステップＳ１０１，Ｎｏ）、制御部１１は、通常のＤＥ信号のオフ／オン制御を行い（ステップＳ１０２）、ステップＳ１０１からの処理を繰り返す。
【００６０】
一方、インターレース映像信号のものである場合（ステップＳ１０１，Ｙｅｓ）、制御部１１は、第１の垂直同期期間であるか否かを判定する（ステップＳ１０３）。ここで、第１の垂直同期期間である場合（ステップＳ１０３，Ｙｅｓ）、制御部１１は、その期間内にＤＥ信号をオフ制御する（ステップＳ１０４）。
【００６１】
一方、第１の垂直同期期間でない場合（ステップＳ１０３，Ｎｏ）、制御部１１は、ステップＳ１０３からの処理を繰り返す。
【００６２】
つづいて、制御部１１は、第２の垂直同期期間であるか否かを判定する（ステップＳ１０５）。ここで、第２の垂直同期期間である場合（ステップＳ１０５，Ｙｅｓ）、制御部１１は、その期間内にＤＥ信号をオン制御する（ステップＳ１０６）。これにより、インターレース映像信号における１フィールド分の映像がスキップされることとなる。
【００６３】
そして、制御部１１は、所定の周期待ちに入り（ステップＳ１０７）、その後、ステップＳ１０１からの処理を繰り返す。
【００６４】
上述してきたように、第１の実施形態に係る映像処理装置１０は、フレーム反転方式により液晶駆動される液晶表示部２０への表示映像信号を生成する映像処理装置１０であって、制御部１１と、映像信号処理部１２とを備える。
【００６５】
制御部１１は、外部から入力されるインターレース映像信号に含まれる垂直同期信号に基づき、インターレース映像信号に対し所定の周期で１フィールド分の表示無効区間が設定されるようにデータイネーブル信号を制御する。映像信号処理部１２は、データイネーブル信号に基づいてインターレース映像信号に対し表示無効区間を設定した表示映像信号を生成し、表示映像信号を液晶表示部２０へ出力する。
【００６６】
したがって、第１の実施形態に係る映像処理装置１０によれば、残像現象を効果的に防ぐことができる。
【００６７】
（第２の実施形態）
次に、第２の実施形態について説明する。なお、第２の実施形態では、主に第１の実施形態と異なる部分について説明し、内容の重複する部分については説明を省略する。
【００６８】
図６は、第２の実施形態に係る映像表示システム１’のブロック図である。図６は、図２Ａに対応しており、第２の実施形態に係る映像表示システム１’は、映像処理装置１０Ａが、制御部１１Ａと通信可能に接続された温度検知部１４をさらに備える点で、第１の実施形態とは異なる。
【００６９】
また、制御部１１Ａが、周期情報１３ａを書き換え可能な点で、第１の実施形態とは異なる。
【００７０】
温度検知部１４は、液晶表示部２０の温度を検知する検知デバイスである。制御部１１Ａは、かかる温度検知部１４の検知結果に基づいて周期情報１３ａに含まれる所定の周期を調整する。
【００７１】
たとえば、制御部１１Ａは、温度検知部１４の検知した液晶表示部２０の温度が高温であるほど所定の周期が短くなるようにかかる周期を調整する。これは、高温時ほど残像現象が発生しやすくなるためである。このように残像現象の発生頻度が高くなるほど周期の間隔を短くし、映像スキップの回数を増やすことによって、温度変化に応じつつ適切に残像現象を防ぐことができる。すなわち、残像現象をより効果的に防ぐことができる。
【００７２】
このように、第２の実施形態に係る映像処理装置１０Ａは、液晶表示部２０の温度を検知する温度検知部１４をさらに備える。制御部１１Ａは、温度検知部１４の検知結果に基づいて周期情報１３ａの含まれる所定の周期を調整する。また、制御部１１Ａは、温度が高温であるほど所定の周期が短くなるようにかかる周期を調整する。
【００７３】
したがって、第２の実施形態に係る映像処理装置１０Ａによれば、残像現象をより効果的に防ぐことができる。
【００７４】
（第３の実施形態）
次に、第３の実施形態について説明する。なお、第３の実施形態でも、主に第１および第２の実施形態と異なる部分について説明し、内容の重複する部分については説明を省略する。また、第３の実施形態は、第２の実施形態で説明した周期情報１３ａの調整処理（以下、「周期調整処理」と言う）の別形態である。
【００７５】
図７Ａは、第３の実施形態に係る周期調整処理の処理説明図である。また、図７Ｂは、第３の実施形態に係る周期調整処理の変形例を示す図である。
【００７６】
図７Ａに示すように、第３の実施形態に係る映像処理装置１０Ｂの映像信号処理部１２Ｂは、ラインバッファｏ−ＬＢ，ｅ−ＬＢをさらに備える点で、第１および第２の実施形態とは異なる。ラインバッファｏ−ＬＢは、奇数フィールド１行分を保持するバッファであり、ここでは「奇数フィールド１行目」（すなわち、フレーム上の１行目）が保持されているものとする。
【００７７】
また、ラインバッファｅ−ＬＢは、偶数フィールド１行分を保持するバッファであり、ここでは「偶数フィールド１行目」（すなわち、フレーム上の２行目）が保持されているものとする。
【００７８】
映像信号処理部１２Ｂは、これらラインバッファｏ−ＬＢ，ｅ−ＬＢに保持された各映像信号の「映像信号差」を算出し、制御部１１Ｂへ出力する。映像信号処理部１２Ｂは、これを「奇数フィールド２行目」と「偶数フィールド２行目」、「奇数フィールド３行目」と「偶数フィールド３行目」…のように順次繰り返す。制御部１１Ｂは、かかる「映像信号差」に基づいて周期情報１３ａに含まれる所定の周期を調整する。
【００７９】
たとえば、制御部１１Ｂは、所定の閾値を超えるほど「映像信号差」が大きいならば、これまで説明した映像のスキップを行うようにＤＥ信号をオフ／オン制御してもよい（ステップＳ１１）。また、制御部１１Ｂは、「映像信号差」が大きいほど、所定の周期が短くなるようにかかる周期を調整してもよい（ステップＳ１２）。
【００８０】
これは、フィールド間での「映像信号差」が大きいほど、残像現象が発生しやすくなるためである。このように「映像信号差」に基づいて映像のスキップを行うことの要否を判定したり、「映像信号差」が大きくなるほど周期の間隔を短くすることによって、「映像信号差」のレベルに応じつつ適切に残像現象を防ぐことができる。すなわち、残像現象をより効果的に防ぐことができる。
【００８１】
なお、「映像信号差」は、ラインバッファｏ−ＬＢ，ｅ−ＬＢに保持された各映像信号における各画素値の総和の差であったり、平均値の差であったりしてもよい。ラインバッファｏ−ＬＢ，ｅ−ＬＢの各映像信号の差が分かるものであれば、「映像信号差」は限定されない。
【００８２】
また、図７Ａでは、１行ずつ奇数フィールドと偶数フィールドとを比較する場合を例に挙げたが、図７Ｂに示すように、数行分（図７Ｂでは５行分）の各映像信号を保持可能なラインバッファｏ−ＬＢＸ，ｅ−ＬＢＸを備えることとしたうえで、これらラインバッファｏ−ＬＢＸ，ｅ−ＬＢＸによって数行分ごとで比較を行い、その「映像信号差」を算出してもよい。これにより、１フレーム分のフレームメモリを有さなくとも、前述の表示領域４８０行（図３参照）を前提とすれば、４８０÷２÷５＝４８回の比較で１フレーム分を処理することができる。
【００８３】
このように、第３の実施形態に係る映像処理装置１０Ｂは、映像信号処理部１２Ｂが、インターレース映像信号におけるフィールド間でそれぞれ対応するラインごとの映像信号差を算出し、制御部１１Ｂは、映像信号処理部１２Ｂによって算出された映像信号差が所定の閾値を超える場合に、１フィールド分の表示無効区間が設定されるようにデータイネーブル信号を制御する。
【００８４】
制御部１１Ｂは、映像信号処理部１２Ｂによって算出された映像信号差が所定の閾値を超える場合に、所定の周期が短くなるようにかかる周期を調整する。
【００８５】
したがって、第３の実施形態に係る映像処理装置１０Ｂによれば、残像現象をより効果的に防ぐことができる。
【００８６】
なお、上述してきた各実施形態では、少なくともフレーム１画面分に相当するフレームメモリをあえて有さないこととした。これにより、低コストにシステムを構成することが可能となる。したがって、たとえば車載機器用であれば、上述したＤＡ用やＲＳＥ用のように、低価格帯での普及を目的とした製品への適用に好適である。
【００８７】
また、上述した各実施形態では、インターレース映像信号に対し所定の周期で１フィールド分の表示無効区間が設定されるようにデータイネーブル信号を制御することとしたが、少なくとも１フィールド分であって、フィールド数を限定するものではない。したがって、所定の周期で２フィールド分以上の表示無効区間が設定されるようにしてもよい。
【００８８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８９】
１，１'  映像表示システム
１０，１０Ａ，１０Ｂ  映像処理装置
１１，１１Ａ，１１Ｂ  制御部
１２，１２Ｂ  映像信号処理部
２０    液晶表示部
３０    映像ソース
Ｃ      車両
【図１Ａ】
2018036367.tif 000003
【図１Ｂ】
2018036367.tif 000004
【図１Ｃ】
2018036367.tif 000005
【図１Ｄ】
2018036367.tif 000006
【図１Ｅ】
2018036367.tif 000007
【図１Ｆ】
2018036367.tif 000008
【図２Ａ】
2018036367.tif 000009
【図２Ｂ】
2018036367.tif 000010
【図３】
2018036367.tif 000011
【図４】
2018036367.tif 000012
【図５】
2018036367.tif 000013
【図６】
2018036367.tif 000014
【図７Ａ】
2018036367.tif 000015
【図７Ｂ】
2018036367.tif 000016